(57)【要約】【課題】電話端末とデータ端末とを連動させるシステムにあって、データ端末にて設定機能／状態の通知等の付加的なサービスを実現できるようにし、これによりユーザの利便性を高めたサーバ装置を提供する。【解決手段】ＶＣＳサーバＳＶにおいて、複数の内線端末それぞれに関連付けられるデータ端末ＰＣ１〜ＰＣ９のユーザＩＤと、データ端末ＰＣ１〜ＰＣ９の機能／状態を示す設定情報とを対応付けたマッピングテーブルを備えておき、主装置ＢＴから通知される呼情報イベントを利用して、マッピングテーブルの該当するデータ端末ＰＣ５，ＰＣ６の設定情報を更新し、この更新した設定情報を他のデータ端末ＰＣ１〜ＰＣ４，ＰＣ７〜ＰＣ９に通知するようにしている。【選択図】      図７
2007124134.tif 000002
【特許請求の範囲】
【請求項１】
呼接続が行なわれる複数の電話端末を特定する電話ＩＤを含む呼情報イベントを受信し、前記複数の電話端末の電話ＩＤにそれぞれ関連付けられ、かつユーザＩＤが割り当てられた複数のデータ端末における通信接続を前記呼接続に連動させるサーバ装置において、
前記ユーザＩＤと、前記データ端末の機能／状態を示す設定情報とを対応付けた管理テーブルを作成し記憶する記憶手段と、
前記設定情報の更新要求発生時に、前記管理テーブル中の前記複数のデータ端末のうちの該当する第１のデータ端末の設定情報を更新すると共に、更新された設定情報を前記第１のデータ端末とは異なる複数の第２のデータ端末に通知する制御手段とを具備したことを特徴とするサーバ装置。
【請求項２】
複数の電話端末間の交換処理を実行する電話交換機を接続するインタフェースを備え、
前記制御手段は、前記電話交換機から通知される前記電話ＩＤ及びその電話ＩＤに対応する電話端末の機能／状態を示す情報に基づいて、前記管理テーブルを参照し、この参照結果に基づいて前記電話ＩＤに関連付けられた第１のデータ端末の設定情報を更新することを特徴とする請求項１記載のサーバ装置。
【請求項３】
前記制御手段は、前記第１のデータ端末の設定情報に基づいて、前記管理テーブルを参照し、この参照結果に基づいて前記第１のデータ端末に関連付けられた電話端末に対し機能／状態を変更すべく指示情報を前記電話交換機に通知することを特徴とする請求項２記載のサーバ装置。
【請求項４】
前記制御手段は、
前記電話交換機から通知される前記電話ＩＤ及びその電話ＩＤに対応する電話端末の機能／状態を示す情報に基づいて、前記管理テーブルを参照し、この参照結果に基づいて前記電話ＩＤに関連付けられた第１のデータ端末の設定情報を更新し、この更新設定情報を複数の第２のデータ端末に通知する第１のモードと、
前記電話交換機から通知される前記電話ＩＤ及びその電話ＩＤに対応する電話端末の機能／状態を示す情報に基づいて、複数の第２のデータ端末に対し、前記電話ＩＤに関連付けられた第１のデータ端末の更新設定情報を通知する第２のモードと、
モード指定操作に応じて、前記第１及び第２のモードを選択的に実行するモード制御手段とを備えたことを特徴とする請求項２記載のサーバ装置。
【請求項５】
前記制御手段は、
前記第１のデータ端末の設定情報に基づいて、前記管理テーブルを参照し、この参照結果に基づいて前記第１のデータ端末に関連付けられた電話端末に対し機能／状態を変更すべく指示情報を前記電話交換機に通知する第１のモードと、
前記第１のデータ端末の設定情報に基づいて、前記第１のデータ端末に関連付けられた電話端末に対し機能／状態を変更すべく指示情報を前記電話交換機に通知する第２のモードと、
モード指定操作に応じて、前記第１及び第２のモードを選択的に実行するモード制御手段とを備えたことを特徴とする請求項３記載のサーバ装置。
【発明の詳細な説明】
【技術分野】
【０００１】
この発明は、例えば電話交換装置に対し通信路を介してサーバ装置を接続し、音声信号に加え映像信号やコンピュータデータ等も取り扱えるようにしたビジュアルコミュニケーションシステムのサーバ装置に関する。
【背景技術】
【０００２】
オフィスや事業所では、構内ネットワークシステムが用いられている。この構内ネットワークシステムは、例えば電話機を構内交換装置（ＰＢＸ：Private Branch Exchange）やボタン電話装置といった電話交換装置に内線端末として収容し、内線端末と公衆網等の外部通信網との間及び内線端末相互間を電話交換装置により交換接続して通話を可能にしている。
【０００３】
また、最近では、テレビ電話端末やパーソナル・コンピュータ等のデータ端末を接続したサーバを伝送路を介して電話交換装置に接続し、電話交換装置を用いた音声通信系と、サーバを用いたデータ通信系とを連動させるシステムも提案されている（例えば、特許文献１）。
【０００４】
ところで、上記のような電話交換装置とサーバとの並列型のシステムにあっては、データ端末間のデータ通信接続を電話端末の呼状態に連動させて、テレビ会議等を構築するといったサービスについても強く望まれている。しかし、上記システムは、電話端末に対し公衆網から発呼があると、発呼者ＩＤを要求し、発呼ＩＤに関連する情報を対応するデータ端末に表示するものであり、テレビ会議等の付加的なサービスを実施するビジュアルコミュニケーションシステムについては、まだ検討段階であって実現されていないのが現状である。
【特許文献１】特開平１０−２１５３２２号公報
【発明の開示】
【発明が解決しようとする課題】
【０００５】
ところで、上記ビジュアルコミュニケーションシステムを実現する場合に、下記のような対策についても検討する必要が生じる。
【０００６】
すなわち、連動させるべく電話端末とデータ端末との機能設定を合わせる必要が生じる。この場合、ユーザが電話端末とデータ端末の両方の機能設定を手動により行なう必要があり、不便である。
【０００７】
また、データ通信系においては、電話交換機による音声通信系で実施されている端末の動作状態の通知等の付加的なサービスについての実現手段が未だ開発されていない。
【０００８】
そこで、この発明の目的は、電話端末とデータ端末とを連動させるシステムにあって、データ端末にて設定機能／状態の通知等の付加的なサービスを実現できるようにし、これによりユーザの利便性を高めたサーバ装置を提供することにある。
【課題を解決するための手段】
【０００９】
この発明は、上記目的を達成させるために、以下のように構成される。  
呼接続が行なわれる複数の電話端末を特定する電話ＩＤを含む呼情報イベントを受信し、複数の電話端末の電話ＩＤにそれぞれ関連付けられ、かつユーザＩＤが割り当てられた複数のデータ端末における通信接続を呼接続に連動させるサーバ装置において、ユーザＩＤと、データ端末の機能／状態を示す設定情報とを対応付けた管理テーブルを作成し記憶する記憶手段と、設定情報の更新要求発生時に、管理テーブル中の複数のデータ端末のうちの該当する第１のデータ端末の設定情報を更新すると共に、更新された設定情報を第１のデータ端末とは異なる複数の第２のデータ端末に通知する制御手段とを備えるようにしたものである。
【００１０】
この構成によれば、複数の電話端末それぞれに関連付けられるデータ端末のユーザＩＤと、データ端末の機能／状態を示す設定情報とを対応付けた管理テーブルをメモリに記憶し管理しておき、設定情報の更新要求発生時に、管理テーブル中の該当する第１のデータ端末の設定情報を更新し、この更新した設定情報を複数の第２のデータ端末に通知するようにしている。
【００１１】
従って、第１のデータ端末の機能変更もしくは動作状態の変更が行われるごとに、管理テーブルを参照して、複数の第２のデータ端末に対し第１のデータ端末の機能変更もしくは動作状態の変更の旨を通知することができる。
【００１２】
複数の電話端末間の交換処理を実行する電話交換機を接続するインタフェースを備え、制御手段は、電話交換機からの通知される電話ＩＤ及びその電話ＩＤに対応する電話端末の機能／状態を示す情報に基づいて、管理テーブルを参照し、この参照結果に基づいて電話ＩＤに関連付けられた第１のデータ端末の設定情報を更新することを特徴とする。
【００１３】
この構成によれば、電話交換機から通知される電話端末の機能／状態を示す情報を利用して、管理テーブル中の第１のデータ端末の設定情報を更新するようにしているので、ユーザはデータ端末の設定情報を管理テーブル中に１度登録すればよいことになり、これにより連動させる電話端末及びデータ端末の設定機能を簡単な手順で合わせることができる。これにより、データ端末上では不在であるのに電話がかかってきてしまう等のバラバラな設定／状態を避けることができるとともに、電話端末の機能設定とデータ端末の機能設定の両方をユーザが個々に操作する必要が無くなり、ユーザの利便性は大幅に改善される。
【００１４】
制御手段は、第１のデータ端末の設定情報に基づいて、管理テーブルを参照し、この参照結果に基づいて第１のデータ端末に関連付けられた電話端末に対し機能／状態を変更すべく指示情報を電話交換機に通知することを特徴とする。
【００１５】
この構成によれば、ユーザは第１のデータ端末の機能／状態の変更を行なうだけで、この第１のデータ端末に関連付けられる電話端末の機能／状態の変更を自動的に行うことができる。
【００１６】
制御手段は、電話交換機からの通知される電話ＩＤ及びその電話ＩＤに対応する電話端末の機能／状態を示す情報に基づいて、管理テーブルを参照し、この参照結果に基づいて電話ＩＤに関連付けられた第１のデータ端末の設定情報を更新し、この更新設定情報を複数の第２のデータ端末に通知する第１のモードと、電話交換機からの通知される電話ＩＤ及びその電話ＩＤに対応する電話端末の機能／状態を示す情報に基づいて、複数の第２のデータ端末に対し電話ＩＤに関連付けられた第１のデータ端末の設定情報を通知する第２のモードと、モード指定操作に応じて、第１及び第２のモードを選択的に実行するモード制御手段とを備えたことを特徴とする。
【００１７】
この構成によれば、例えばデータ端末または設定機能ごとにモードを設定しておくことで、あるデータ端末については電話交換機から電話端末の機能／状態を示す情報が通知されるごとに管理テーブル中の該当する第１のデータ端末の設定情報を更新して複数の第２のデータ端末に対し更新した設定情報を通知し、一方別のデータ端末については電話交換機から電話端末の機能／状態を示す情報が通知されるごとに複数の第２のデータ端末に対し第１のデータ端末の設定情報を更新した設定情報を通知するというように、データ端末ごとまたは設定機能ごとに最適な機能／状態の通知を行なうことができる。
【発明の効果】
【００１８】
以上詳述したようにこの発明によれば、電話端末とデータ端末とを連動させるシステムにあって、データ端末にて設定機能／状態の通知等の付加的なサービスを実現できるようにし、これによりユーザの利便性を高めたサーバ装置を提供することができる。
【発明を実施するための最良の形態】
【００１９】
以下、この発明の実施形態について図面を参照して詳細に説明する。  
（第１の実施形態）  
図１は、この発明の第１の実施形態に係わるビジュアルコミュニケーションシステムを示す概略構成図である。
【００２０】
このシステムは、同図に示すように、主装置ＢＴと、ＶＣＳ（Visual Communication System）サーバＳＶとを備え、これら主装置ＢＴとＶＣＳサーバＳＶとの間をＬＡＮ（Local Area Network）１により接続している。
【００２１】
主装置ＢＴは、内線端末Ｔ１１〜Ｔ１ｉを内線を介して収容している。また、主装置ＢＴは公衆網ＮＷに局線Ｌを介して接続されている。そして、主装置ＢＴは、内線端末Ｔ１１〜Ｔ１ｉ相互間、もしくは内線端末Ｔ１１〜Ｔ１ｉと公衆網ＮＷとの間の交換処理を実行する。
【００２２】
ＶＣＳサーバＳＶは、複数のデータ端末ＰＣ１〜ＰＣｎをＩＰネットワークを介して収容している。これらのデータ端末ＰＣ１〜ＰＣｎは、いずれも汎用のパーソナル・コンピュータからなり、各内線端末Ｔ１１〜Ｔ１ｉにそれぞれ関連して動作するものである。
【００２３】
上記ＶＣＳサーバＳＶは、主装置ＢＴに対する付加的機能を実行するもので、例えば映像等のメディア情報を処理する。
【００２４】
図２は、上記ＶＣＳサーバＳＶの機能構成を示すブロック図である。  
ＶＣＳサーバＳＶは、ＬＡＮインタフェース（Ｉ／Ｆ）部１１と、制御部１２と、記憶部１３と、ＰＣインタフェース（Ｉ／Ｆ）部１４とを備えている。このうち、ＬＡＮインタフェース部１１は、ＬＡＮ１との間でインタフェース処理を行うものである。
【００２５】
ＰＣインタフェース部１４は、データ端末ＰＣ１〜ＰＣｎとの間のインタフェース処理を行うものである。
【００２６】
記憶部１３は、上記制御部１２の接続制御に必要なルーティング情報等を格納している。さらに、記憶部１３には、接続情報管理テーブル１３１と、内線端末−ＶＣ関連付けテーブル１３２と、セッション情報管理テーブル１３３と、マッピングテーブル１３４とが設けられる。
【００２７】
接続情報管理テーブル１３１には、図３に示す如く、内線端末Ｔ１１〜Ｔ１ｉそれぞれの電話番号（電話ＩＤ）と、接続状態を示す状態情報との対応関係を表すデータが記憶されている。なお、ｔ１〜ｔ９は上記内線端末Ｔ１１〜Ｔ１９それぞれの電話ＩＤを示している。ここでは、説明を簡単にするため、内線端末Ｔ１１〜Ｔ１９とする。
【００２８】
内線端末−ＶＣ関連付けテーブル１３２には、図４に示すように、内線端末Ｔ１１〜Ｔ１ｉとデータ端末（ＶＣ）ＰＣ１〜ＰＣｎとの対応関係を示すデータが記憶されている。なお、図中Ａ〜Ｉは、データ端末ＰＣ１〜ＰＣ９それぞれのユーザＩＤを示している。
【００２９】
セッション情報管理テーブル１３３には、図５に示すように、データ端末ＰＣ１〜ＰＣ９間のセッション状態を示す情報が記憶されている。
【００３０】
マッピングテーブル１３４には、図６に示すように、ユーザＩＤと、内線端末Ｔ１１〜Ｔ１９及びデータ端末ＰＣ１〜ＰＣ９のプレゼンスを表す設定情報との対応関係を表すデータが記憶されている。このマッピングテーブル１３４において、現在のプレゼンス状態を図中網掛け表示とする。
【００３１】
一方、制御部１２は、データ端末ＰＣ１〜ＰＣｎの状態管理やデータ端末ＰＣ１〜ＰＣｎと内線端末Ｔ１１〜Ｔ１ｉとの連携動作に係わる制御機能に加え、この発明に係わる新たな機能として、接続情報登録部１２１と、セッション制御部１２２と、状態通知制御部１２３とを備えている。
【００３２】
接続情報登録部１２１は、主装置ＢＴから通知された呼情報イベントを分析することで、例えば内線端末Ｔ１５と内線端末Ｔ１６が通話中になったことを判断し、接続情報管理テーブル１３１の状態情報「ｔ５−ｔ６」を追加する。
【００３３】
セッション制御部１２２は、更新された状態情報に基づき、内線端末−ＶＣ関連付けテーブル１３２により内線端末Ｔ１５はデータ端末ＰＣ５に、内線端末Ｔ１６はデータ端末ＰＣ６に関連付いていることを読み出して、セッション情報管理テーブル１３３によりデータ端末ＰＣ５，ＰＣ６のセッション状態を検索する。例えば、これから通話を開始するような場合、データ端末ＰＣ５，ＰＣ６はセッションが開始されていないため、セッション制御部１２２はデータ端末ＰＣ５，ＰＣ６のセッションを開始するように制御する。そして、セッション制御部１２２は、データ端末ＰＣ５，ＰＣ６のセッションが確立すると、セッション情報管理テーブル１３３の記憶内容を更新する。
【００３４】
状態通知制御部１２３は、上記セッション制御部１２２によりセッション情報管理テーブル１３３の記憶内容を更新すると、データ端末ＰＣ５，ＰＣ６それぞれの設定情報を更新し、この更新した設定情報を他のデータ端末ＰＣ１〜ＰＣ４，ＰＣ７〜ＰＣ９に通知する。
【００３５】
また、状態通知制御部１２３は、マッピングテーブル１３４を参照するモードと、マッピングテーブル１３４を参照しないモードとを備え、ユーザによる設定に応じて各モードを選択的に実行する。
【００３６】
次に、以上のように構成されたビジュアルコミュニケーションシステムの動作を説明する。  
図７は、内線端末Ｔ１５と内線端末Ｔ１６との間で通話を行なう際に、各データ端末ＰＣ１〜ＰＣ９に対しプレゼンスを行なう場合の動作を示すシーケンス図である。図８は、その際のＶＣＳサーバＳＶの制御処理手順を示すフローチャートである。
【００３７】
例えば内線端末Ｔ１６においてユーザが、内線端末Ｔ１５への通話を要求する操作を行なったとする（図６（１））。そうすると内線端末Ｔ１６からその要求信号が主装置ＢＴに送られる。この通信確立要求信号を受信すると主装置ＢＴは、着信先の内線端末Ｔ１５を呼び出す。そして、これに対し内線端末Ｔ１５が応答すると、内線端末Ｔ１５と内線端末Ｔ１６との間に通信リンクを形成し（図６（２））、内線端末Ｔ１５，Ｔ１６間が通話中である旨を示す呼情報イベントをＶＣＳサーバＳＶに送信する（図６（３））。
【００３８】
ＶＣＳサーバＳＶは、呼情報イベントを受信すると（ステップＳＴ７ａ）、まずこの呼情報イベントに含まれる内線端末Ｔ１５，Ｔ１６の電話ＩＤ（ｔ５，ｔ６）が接続情報管理テーブル１３１中に存在するか否かを判定する。ここでは、存在しているので、接続情報管理テーブル１３１において、内線端末Ｔ１５と内線端末Ｔ１６とを対応付けて記憶する（図６（４））。
【００３９】
そして、ＶＣＳサーバＳＶは、内線端末−ＶＣ関連付けテーブル１３２を参照して、内線端末Ｔ１５，Ｔ１６にそれぞれ関連付けられたデータ端末ＰＣ５，ＰＣ６が存在するか否かの判定を行なう（ステップＳＴ７ｂ）。ここでは、存在しているので、データ端末ＰＣ５，ＰＣ６のセッションが確立し（図６（５））、セッション情報管理テーブル１３３の記憶内容を更新する。
【００４０】
続いて、ＶＣＳサーバＳＶは、マッピングテーブル１３４のユーザＩＤ（Ｅ、Ｆ）に対応する設定情報を「電話中」に更新し（ステップＳＴ７ｃ）、ログイン状態にあるデータ端末ＰＣ１〜ＰＣ４，ＰＣ７〜ＰＣ９に対し、データ端末ＰＣ５，ＰＣ６が「電話中」である旨を通知する（ステップＳＴ７ｄ）。
【００４１】
なお、上記ステップＳＴ７ｂにおいて、内線端末Ｔ１５，Ｔ１６にそれぞれ関連付けられたデータ端末が存在しない場合には、処理を終了する。
【００４２】
以上のように上記第１の実施形態では、ＶＣＳサーバＳＶにおいて、複数の内線端末Ｔ１１〜Ｔ１９それぞれに関連付けられるデータ端末ＰＣ１〜ＰＣ９のユーザＩＤと、データ端末ＰＣ１〜ＰＣ９の機能／状態を示す設定情報とを対応付けたマッピングテーブル１３４を備えておき、主装置ＢＴから通知される呼情報イベントを利用して、マッピングテーブル１３４の該当するデータ端末ＰＣ５，ＰＣ６の設定情報を更新し、この更新した設定情報を他のデータ端末ＰＣ１〜ＰＣ４，ＰＣ７〜ＰＣ９に通知するようにしている。
【００４３】
従って、データ端末ＰＣ５、ＰＣ６のプレゼンス状態の変更が行われるごとに、マッピングテーブル１３４を参照して、データ端末ＰＣ１〜ＰＣ４，ＰＣ７〜ＰＣ９に対しデータ端末ＰＣ５，ＰＣ６のプレゼンス状態の変更の旨を通知することができる。
【００４４】
また、ユーザはデータ端末ＰＣ１〜ＰＣ９の設定情報をマッピングテーブル１３４中に１度登録すればよいことになり、これにより連動させる内線端末Ｔ１５，Ｔ１６及びデータ端末ＰＣ５，ＰＣ６の設定機能を簡単な手順で合わせることができる。これにより、プレゼンス上では不在であるのに電話がかかってきてしまう等のバラバラな設定／状態を避けることができるとともに、内線端末Ｔ１５，Ｔ１６の機能設定とデータ端末ＰＣ５，ＰＣ６の機能設定の両方をユーザが個々に操作する必要が無くなり、ユーザの利便性は大幅に改善される。
【００４５】
また、上記第１の実施形態では、例えばデータ端末ＰＣ１〜ＰＣ９または設定機能ごとにモードを設定しておくことで、あるデータ端末ＰＣ１については主装置ＢＴから呼情報イベントが通知されるごとにマッピングテーブル１３４中の該当するデータ端末ＰＣ１の設定情報を更新して他のデータ端末ＰＣ２〜ＰＣ９に対し更新した設定情報を通知し、一方別のデータ端末ＰＣ２については主装置ＢＴから呼情報イベントが通知されるごとにマッピングテーブル１３４を参照せずに他のデータ端末ＰＣ１，ＰＣ３〜ＰＣ９に対しデータ端末ＰＣ２の更新した設定情報を通知するというように、データ端末ＰＣ１〜ＰＣ９ごとに最適なプレゼンス状態の通知を行なうこともできる。また「着信拒否」等のプレゼンスごとにマッピングテーブル１３４を使用するか否かを決定するようにしてもよい。
【００４６】
（第２の実施形態）  
図９は、この発明の第２の実施形態として、データ端末ＰＣ１の機能変更を内線端末Ｔ１１に反映させる際のＶＣＳサーバＳＶの制御処理手順を示すフローチャートである。
【００４７】
例えばデータ端末ＰＣ１においてユーザが、「離席」を設定したとする。そうするとデータ端末ＰＣ１からその変更メッセージがＶＣＳサーバＳＶに送られる。
【００４８】
ＶＣＳサーバＳＶは、データ端末ＰＣ１から変更メッセージを受信すると（ステップＳＴ９ａ）、マッピングテーブル１３４中のデータ端末ＰＣ１のユーザＩＤ（Ａ）について、「在席」から「離席」へプレゼンス状態を更新する（ステップＳＴ９ｂ）。なお、ここでは各データ端末ＰＣ２〜ＰＣ９へ状態通知を行っても良い。
【００４９】
そして、ＶＣＳサーバＳＶは、マッピングテーブル１３４を参照し、プレゼンス状態から対応する端末状態／設定を決定し（ステップＳＴ９ｃ）、対応する端末状態変更／設定要求を主装置ＢＴに送信する（ステップＳＴ９ｄ）。この場合、着信拒否設定要求やＣａｌｌＦｏｒｗａｒｄ設定要求等が例として挙げられる。また、既に他の設定がされている場合には必要に応じ設定解除の要求も合わせて送信する。
【００５０】
そして、主装置ＢＴは、ＶＣＳサーバＳＶからの要求を受信し、対応する端末状態変更／設定要求を行う。ここでは、データ端末ＰＣ１に関連付けられる内線端末Ｔ１１を「空き」から「ボイスメールへの転送」に設定変更する。
【００５１】
以上のように上記第２の実施形態によれば、マッピングテーブル１３４を利用することで、ユーザは例えばデータ端末ＰＣ１〜ＰＣ９のプレゼンス状態の変更設定を行なうだけで、このデータ端末ＰＣ１に関連付けられる内線端末Ｔ１１の機能／状態の変更を自動的に行うことができる。これにより、プレゼンス上では不在であるのに電話がかかってきてしまう等のバラバラな設定／状態を避けることができるとともに、内線端末Ｔ１５，Ｔ１６の機能設定とデータ端末ＰＣ５，ＰＣ６の機能設定の両方をユーザが個々に操作する必要が無くなり、ユーザの利便性は大幅に改善される。
【００５２】
また、上記第２の実施形態にあっても、上記第１の実施形態と同様に、データ端末ＰＣ１〜ＰＣ９もしくはプレゼンス状態ごとに、マッピングテーブル１３４を参照するか否かを決定することもできる。
【００５３】
（その他の実施形態）  
この発明は、上記各実施形態に限定されるものではない。例えば上記第１の実施形態では、主装置からの呼情報イベントを利用してマッピングテーブルの更新を行なう例について説明した。しかしこれに限ることなく、マッピングテーブルの内容をＶＣＳサーバに接続された保守端末から変更したり、データ端末からｈｔｔｐ経由等の手段により本テーブルを書き換えるようにしてもよい。
【００５４】
また、上記各実施形態では、主装置とＶＣＳサーバとを別々に設ける例について説明したが、ＶＣＳサーバ内に主装置の機能を組み込むようにしてもよい。
【００５５】
その他、ＶＣＳサーバの構成及び種類、電話交換装置の種類（主装置に限らずＰＢＸでもよい）や内線端末の種類、データ端末の種類、各種テーブルの記憶内容、データ端末間のセッション制御方法やプレゼンス変更方法等についても、この発明の要旨を逸脱しない範囲で種々変形して実施できる。
【図面の簡単な説明】
【００５６】
【図１】この発明の第１の実施形態に係わるビジュアルコミュニケーションシステムを示す概略構成図。
【図２】図１に示したＶＣＳサーバの機能構成を示すブロック図。
【図３】上記図２に示した接続情報管理テーブルの記憶内容の一例を示す図。
【図４】上記図２に示した内線端末−ＶＣ関連付けテーブルの記憶内容の一例を示す図。
【図５】上記図２に示したセッション情報管理テーブルの記憶内容の一例を示す図。
【図６】上記図２に示したマッピングテーブルの記憶内容の一例を示す図。
【図７】同第１の実施形態において、ビジュアルコミュニケーション制御を実行する際の内線端末と、主装置と、ＶＣＳサーバと、データ端末との間における情報の送受信動作を示す概略シーケンス図。
【図８】同第１の実施形態において、各データ端末に対しプレゼンスを行なう際のＶＣＳサーバの制御手順を示すフローチャート。
【図９】この発明の第２の実施形態として、データ端末ＰＣ１の機能変更を内線端末Ｔ１１に反映させる際のＶＣＳサーバの制御手順を示すフローチャート。
【符号の説明】
【００５７】
１…ＬＡＮ（Local Area Network）、１１…ＬＡＮインタフェース（Ｉ／Ｆ）部、１２…制御部、１３…記憶部、１４…ＰＣインタフェース（Ｉ／Ｆ）部、１２１…接続情報登録部、１２２…セッション制御部、１２３…状態通知制御部、１３１…接続情報管理テーブル、１３２…内線端末−ＶＣ関連付けテーブル、１３３…セッション情報管理テーブル、１３４…マッピングテーブル、Ｔ１１〜Ｔ１ｉ…内線端末、Ｌ…局線、ＮＷ…公衆網、ＢＴ…主装置、ＰＣ１〜ＰＣｎ…データ端末、ＳＶ…ＶＣＳサーバ。
【図１】
2007124134.tif 000003
【図２】
2007124134.tif 000004
【図３】
2007124134.tif 000005
【図４】
2007124134.tif 000006
【図５】
2007124134.tif 000007
【図６】
2007124134.tif 000008
【図７】
2007124134.tif 000009
【図８】
2007124134.tif 000010
【図９】
2007124134.tif 000011